【手続補正書】
【提出日】平成22年2月23日(2010.2.23)
【手続補正１】
【補正対象書類名】特許請求の範囲
【補正対象項目名】全文
【補正方法】変更
【補正の内容】
【特許請求の範囲】
【請求項１】
アミン溶媒を使用して供給ガスストリームからアミンで捕捉可能なガスを除去するための方法であって、
（ａ）供給ガスストリームを希薄アミン溶媒と接触させて濃厚アミン溶媒を形成させるステップであって、濃厚アミン溶媒中に熱安定塩が存在するステップと、
（ｂ）濃厚アミン溶媒からアミンで捕捉可能なガスをストリップして希薄アミン溶媒およびオーバーヘッドの還流ストリームを形成させるステップと、
（ｃ）希薄アミン溶媒および濃厚アミン溶媒の一方または両方の少なくとも一部分を周期的にアニオン交換樹脂と接触させて第１の熱安定塩希薄アミン溶媒を形成させるステップと、
（ｄ）アニオン交換樹脂を定期的に再生するステップであって、アニオン交換樹脂の再生の間に、還流ストリームの少なくとも一部分を使用して、アニオン交換樹脂からアミン溶媒を洗い流して第２の熱安定塩希薄アミン溶媒を製造するステップと、
（ｅ）第１および第２の熱安定塩希薄アミン溶媒の少なくとも一部分を、供給ガスからアミンで捕捉可能なガスを捕捉するのに使用するためにリサイクルするステップと
を含む方法。
【請求項２】
アミンで捕捉可能なガスをＳＯ２、Ｈ２ＳおよびＣＯ２の１つまたは複数から選択するステップをさらに含む、請求項１に記載の方法。
【請求項３】
希薄アミン溶媒を、アニオン交換樹脂と接触させるアミン溶媒として選択するステップをさらに含む、請求項１および２のいずれかに記載の方法。
【請求項４】
ステップ（ｄ）の間に、アニオン交換樹脂を再生する前に、アニオン交換樹脂を処理してそれからアミン溶媒を除去する、請求項１から３のいずれかに記載の方法。
【請求項５】
ステップ（ｄ）が、
（ａ）アニオン交換樹脂を水と接触させてアニオン交換樹脂からアミン溶媒を洗い流すことと、
（ｂ）続いてアニオン交換樹脂を再生剤と接触させて再生されたアニオン交換樹脂および使用済みの再生剤溶液を得ることと、
（ｃ）アニオン交換樹脂を水で洗い流して樹脂から再生剤を除去し、かつ再生剤洗浄排水を得ることと
を含む、請求項１から４のいずれかに記載の方法。
【請求項６】
再生されたアニオン交換樹脂をステップ（ｃ）で使用する前に、再生されたアニオン交換樹脂を水で洗い流して樹脂から再生剤を除去することをさらに含む、請求項５に記載の方法。
【請求項７】
（ａ）供給ガスストリームに予備洗浄操作を施すステップと、
（ｂ）使用済み再生剤溶液および再生剤洗浄排水の一方または両方の全部または一部分を予備洗浄操作において使用するステップと
をさらに含む、請求項５および６のいずれかに記載の方法。
【請求項８】
アニオン交換樹脂を水と接触させてアニオン交換樹脂からアミン溶媒を洗い流す前に、アニオン交換樹脂からアミン溶媒を抜き取ることをさらに含む、請求項５から７のいずれかに記載の方法。
【請求項９】
２．５〜６の範囲内のｐＫａを有するアミンを有するアミン溶媒を用意するステップをさらに含む、請求項１および３から８のいずれかに記載の方法。
【請求項１０】
アミンで捕捉可能なガスとしてＳＯ２を選択するステップをさらに含む、請求項９に記載の方法。
【請求項１１】
７．５〜１０の範囲内のｐＫａを有するアミンを有するアミン溶媒を用意するステップをさらに含む、請求項１および３から８のいずれかに記載の方法。
【請求項１２】
アミンで捕捉可能なガスをＨ２ＳおよびＣＯ２の１つまたは複数から選択するステップをさらに含む、請求項１１に記載の方法。
【請求項１３】
熱安定塩希薄アミンがステップ（ａ）にリサイクルされる、請求項１から１２のいずれかに記載の方法。
【請求項１４】
熱安定塩希薄アミンがステップ（ｂ）にリサイクルされる、請求項１から１２のいずれかに記載の方法。
【請求項１５】
アミンで捕捉可能なガスとしてＳＯ２を選択するステップをさらに含む、請求項１４に記載の方法。
【請求項１６】
還流を希釈せずに利用してアニオン交換樹脂からアミン溶媒を洗い流す、請求項１から１５のいずれかに記載の方法。
【請求項１７】
（ａ）熱安定塩を含有する溶媒溶液をアミン処理装置工程から得るステップと、
（ｂ）溶媒溶液をアニオン交換樹脂と接触させて熱安定塩希薄溶媒溶液を得るステップと、
（ｃ）アニオン交換樹脂を定期的に再生し、アニオン交換樹脂の再生の前に、アニオン交換樹脂をアミン処理装置工程からの還流ストリームの少なくとも一部分で洗い流して熱安定塩希薄アミンストリームを製造するステップと、
（ｄ）熱安定塩希薄アミンをアミン処理装置工程にリサイクルするステップと
を含む、イオン交換樹脂を再生する方法。
【請求項１８】
アミン処理装置工程で、供給ガスを処理してＳＯ２、Ｈ２ＳおよびＣＯ２の１つまたは複数を除去する、請求項１７に記載の方法。
【請求項１９】
ステップ（ｃ）の間に、アニオン交換樹脂を再生する前に、アニオン交換樹脂を処理して樹脂からアミン溶媒を除去する、請求項１７および１８のいずれかに記載の方法。
【請求項２０】
ステップ（ｃ）の間に、
（ａ）アニオン交換樹脂を環流ストリームの少なくとも一部と接触させてアニオン交換樹脂からアミン溶媒を洗い流す、
（ｂ）続いてアニオン交換樹脂を再生剤と接触させて再生されたアニオン交換樹脂および使用済みの再生剤溶液を得る、及び
（ｃ）アニオン交換樹脂を水で洗い流して樹脂から再生剤を除去し、かつ再生剤洗浄排水を得る、
請求項１７から１９のいずれかに記載の方法。
【請求項２１】
再生されたアニオン交換樹脂を請求項１７のステップ（ｂ）で使用する前に、再生されたアニオン交換樹脂を水で洗い流して樹脂から再生剤を除去することをさらに含み、当該水の少なくとも一部が環流ストリームから得られたものである、請求項２０に記載の方法。
【請求項２２】
（ａ）アミン処理装置工程に提供された供給ガスストリームに予備洗浄操作を施すステップと、
（ｂ）使用済み再生剤溶液および再生剤洗浄排水の一方または両方の全部または一部分を予備洗浄操作で使用するステップと
をさらに含む、請求項２０および２１のいずれかに記載の方法。
【請求項２３】
アニオン交換樹脂を水と接触させてアニオン交換樹脂からアミン溶媒を洗い流す前に、アニオン交換樹脂からアミン溶媒を抜き取ることをさらに含む、請求項２０から２２のいずれかに記載の方法。
【請求項２４】
熱安定塩希薄アミンをアミン処理装置工程にリサイクルする、請求項１７から２３のいずれかに記載の方法。
【請求項２５】
還流を希釈せずに利用してアニオン交換樹脂からアミン溶媒を洗い流す、請求項１７から２４のいずれかに記載の方法。
【請求項２６】
アミン処理工程が、
（ａ）アミンで補足可能なガスを含む供給ガスストリームを希薄アミン溶媒と接触させて濃厚アミン溶媒を形成させるステップであって、濃厚アミン溶媒中に熱安定塩が存在するステップと、
（ｂ）濃厚アミン溶媒からアミンで捕捉可能なガスをストリップして希薄アミン溶媒およびオーバーヘッドの還流ストリームを形成させるステップと、
（ｃ）希薄アミン溶媒および濃厚アミン溶媒の一方または両方の少なくとも一部分を周期的に溶媒溶液として使用するステップと、
（ｄ）当該方法が希薄アミン溶媒を、アニオン交換樹脂と接触させる溶媒溶液として選択するステップをさらに含む、
を含む、請求項１７から２５のいずれかに記載の方法。
【請求項２７】
２．５〜６の範囲内のｐＫａを有するアミンを有するアミン溶媒を含む溶媒溶液を選択するステップをさらに含む、請求項１７および１９から２６のいずれかに記載の方法。
【請求項２８】
アミン処理工程によって捕捉されるアミンで捕捉可能なガスとしてＳＯ２を選択するステップをさらに含む、請求項２７に記載の方法。
【請求項２９】
７．５〜１０の範囲内のｐＫａを有するアミンを有するアミン溶媒を含む溶媒溶液を選択するステップをさらに含む、請求項１７および１９から２６のいずれかに記載の方法。
【請求項３０】
アミン処理工程によって捕捉されるアミンで捕捉可能なガスとしてＨ２ＳおよびＣＯ２の１つまたは複数から選択するステップをさらに含む、請求項２９に記載の方法。
【請求項３１】
アミン処理工程が、
（ａ）アミンで補足可能なガスを含む供給ガスストリームを希薄アミン溶媒と接触させて濃厚アミン溶媒を形成させるステップであって、濃厚アミン溶媒中に熱安定塩が存在するステップと、
（ｂ）濃厚アミン溶媒からアミンで捕捉可能なガスをストリップして希薄アミン溶媒およびオーバーヘッドの還流ストリームを形成させるステップと、
（ｃ）希薄アミン溶媒および濃厚アミン溶媒の一方または両方の少なくとも一部分を周期的に溶媒溶液として使用するステップと、
当該方法が熱安定塩希薄アミンをステップ３１（ａ）にリサイクルするステップを更に含む、
を含む、請求項１７から３０のいずれかに記載の方法。
【請求項３２】
アミン処理工程が、
（ａ）アミンで補足可能なガスを含む供給ガスストリームを希薄アミン溶媒と接触させて濃厚アミン溶媒を形成させるステップであって、濃厚アミン溶媒中に熱安定塩が存在するステップと、
（ｂ）濃厚アミン溶媒からアミンで捕捉可能なガスをストリップして希薄アミン溶媒およびオーバーヘッドの還流ストリームを形成させるステップと、
（ｃ）希薄アミン溶媒および濃厚アミン溶媒の一方または両方の少なくとも一部分を周期的に溶媒溶液として使用するステップと、
当該方法が熱安定塩希薄アミンをステップ３２（ｂ）にリサイクルするステップを更に含む、
を含む、請求項１７から３０のいずれかに記載の方法。
【請求項３３】
アミンで捕捉可能なガスとしてＳＯ２を選択するステップをさらに含む、請求項３２に記載の方法。